(57)【要約】【課題】本発明は、ユーザの宛先設定ミスを低減し、誤送信を防止する画像データ送信装置を提供する。【解決手段】画像データ送信装置１００では、画像データを送信する宛先情報をＬＤＡＰサーバ１１３から取得する前に（ステップＳ３０４、Ｓ３０８）、画像データを宛先に送信するときの送信方式を決定する（ステップＳ３０３）。【選択図】図３
2015133571.tif 000002
【特許請求の範囲】
【請求項１】
データを送信する宛先情報を取得する取得手段と、
前記取得手段によって取得された宛先情報を宛先として設定する設定手段と、
前記設定手段によって設定される宛先にデータを送信するときのプロトコルを、前記取得手段により宛先情報を取得する前に表示していた操作画面の情報に基づいて決定する決定手段と、
前記設定手段によって設定された宛先に、前記決定手段によって決定されたプロトコルを使用してデータを送信する送信手段とを備えることを特徴とする画像データ送信装置。
【請求項２】
データを送信する宛先情報を取得する取得手段と、
前記取得手段によって取得された宛先情報を宛先として設定する設定手段と、
前記設定手段によって設定される宛先にデータを送信するときのプロトコルを予め指定するための指定手段と、
前記設定手段によって設定された宛先に、前記指定手段によって指定されたプロトコルを使用してデータを送信する送信手段とを備えることを特徴とする画像データ送信装置。
【請求項３】
前記決定手段は、前記取得手段により宛先情報が取得される前に、表示手段に表示されたプロトコル選択肢から決定することを特徴とする請求項１記載の画像データ送信装置。
【請求項４】
前記決定手段は、前記取得手段により宛先情報が取得された後に、表示手段に表示されたプロトコル選択肢から決定することを特徴とする請求項１に記載の画像データ送信装置。
【請求項５】
データを送信する機能を備える画像データ送信装置の制御方法において、
データを送信する宛先情報を取得する取得工程と、
前記取得工程にて取得された宛先情報を宛先として設定する設定工程と、
前記設定工程にて設定される宛先にデータを送信するときのプロトコルを、前記取得工程で宛先情報を取得する前に表示していた操作画面の情報に基づいて決定する決定工程と、
前記設定工程にて設定された宛先に、前記決定工程にて決定されたプロトコルを使用してデータを送信する送信工程とを備えることを特徴とする制御方法。
【請求項６】
データを送信する機能を備える画像データ送信装置の制御方法において、
データを送信する宛先情報を取得する取得工程と、
前記取得工程にて取得された宛先情報を宛先として設定する設定工程と、
前記設定工程にて設定される宛先にデータを送信するときのプロトコルを予め指定するための指定工程と、
前記設定工程にて設定された宛先に、前記指定工程にて指定されたプロトコルを使用してデータを送信する送信工程とを備えることを特徴とする制御方法。
【請求項７】
請求項５または６に記載の制御方法を画像データ送信装置に実行させるためのコンピュータに読み取り可能なプログラム。
【発明の詳細な説明】
【技術分野】
【０００１】
本発明は、画像データ送信装置およびその制御方法、並びにプログラムに関し、特に、読み取った画像データの送信先の設定を行う技術に関する。
【背景技術】
【０００２】
近年、電子メール（以降、「Ｅメール」と略す。）技術に加え、インターネット回線を利用してファクス画像の送受信を行うインターネットＦＡＸ（以降、「Ｉファクス」と略す。）と呼ばれる技術が知られている。Ｉファクスは、Ｅメールとの相互通信が行えるという特徴があり、画像送信時にはＥメールと同様にＳＭＴＰプロトコルを使用する。
【０００３】
一方、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）と呼ばれるプロトコルを利用し、ネットワーク上のディレクトリデータベースにアクセスし、Ｅメールアドレスなどのユーザ情報を取得する技術がある。このような外部サーバから宛先情報を取得する技術により、画像データ送信装置自体に宛先情報を持たずに、Ｅメール送信の宛先設定が可能となっている。従来から、外部サーバの宛先情報を取得し設定する画像データ送信装置が知られている（例えば、特許文献１参照）。
【先行技術文献】
【特許文献】
【０００４】
【特許文献１】特開２００６−０６０８６８号公報
【発明の概要】
【発明が解決しようとする課題】
【０００５】
しかしながら、特許文献１では、ＥメールとＩファクスのように、取得した情報（Ｅメールアドレス）を利用する機能が複数ある場合が考慮されていない。そのため、ユーザの設定ミスによる誤送信が発生する可能性がある。例えば、Ｉファクス受信しかサポートしない機種に対して、誤ってＥメール送信してしまった場合、送信した画像データが受信されないという問題がある。
【０００６】
本発明は、上記問題に鑑みて成されたものであり、ユーザの宛先設定ミスを低減し、プロトコル誤送信を防止する技術を提供する。
【課題を解決するための手段】
【０００７】
上記目的を達成するために本発明は、データを送信する宛先情報を取得する取得手段と、前記取得手段によって取得された宛先情報を宛先として設定する設定手段と、前記設定手段によって設定される宛先にデータを送信するときのプロトコルを、前記取得手段により宛先情報を取得する前に表示していた操作画面の情報に基づいて決定する決定手段と、前記設定手段によって設定された宛先に、前記決定手段によって決定されたプロトコルを使用してデータを送信する送信手段とを備えることを特徴とする。
【発明の効果】
【０００８】
本発明によれば、ユーザの宛先設定ミスを低減し、プロトコル誤送信を防止することができる。
【図面の簡単な説明】
【０００９】
【図１】本発明の第１の実施形態に係る画像データ送信装置の概略構成を示すブロック図である。
【図２】操作表示部の外観構成を示す図である。
【図３】第１の実施形態における画像データ送信装置において、取得した宛先情報の設定方法を説明するためのフローチャートである。
【図４】操作表示部の表示画面の一例を示す図であり、（ａ）スキャン基本画面、（ｂ）Ｅメールアドレス送信設定画面、（ｃ）検索結果画面、（ｄ）アドレス設定後のＥメールアドレス送信設定画面である。
【図５】第２の実施形態における画像データ送信装置において、取得した宛先情報の設定方法を説明するためのフローチャートである。
【図６】操作表示部の表示画面の一例を示す図であり、（ａ）スキャン基本画面、（ｂ）検索結果画面、（ｃ）プロトコル選択画面、（ｄ）アドレス設定後のＥメールアドレス送信設定画面である。
【図７】第３の実施形態における画像データ送信装置１００において、取得した宛先情報の設定方法を説明するためのフローチャートである。
【図８】操作表示部に表示されるＬＤＡＰ検索時の宛先指定画面の一例を示す図である。
【発明を実施するための形態】
【００１０】
以下、本発明の実施の形態を図面を参照して詳細に説明する。
【００１１】
［第１の実施形態］
本実施形態では、画像データ送信装置において、ＬＤＡＰサーバから画像を送信するための宛先情報を取得し、取得した宛先情報を、「Ｅメール」又は「Ｉファクス（インターネットファクス）」の送信先として設定する例について説明する。一般に、ＥメールとＩファクスは、ＳＭＴＰを使用して送信するものであるが、以降の説明では、両者は異なるプロトコルであるものとして説明する。
【００１２】
図１は、本発明の第１の実施形態に係る画像データ送信装置の概略構成を示すブロック図である。
【００１３】
画像データ送信装置１００は、後述するスキャナ部、プリンタ部等から構成され、スキャナ部から入力される原稿画像をネットワーク（ＬＡＮ）１１１に出力したり、ＬＡＮ１１１を介して受信した画像をプリンタ部により記録紙上に印刷する機能を有する。また、スキャナ部から入力される原稿画像をＦＡＸ送信モジュール（不図示）により、ＰＳＴＮまたはＩＳＤＮ等の公衆回線網に送信したり、当該公衆回線網から受信した画像データをプリンタ部により印刷出力することができる。
【００１４】
クライアントＰＣ１１２は、画像データ送信装置１００から送信された画像データをネットワーク（ＬＡＮ）１１１などを介して受信する。
【００１５】
ＬＤＡＰサーバ１１３は、上述したＬＤＡＰを利用し、ネットワーク上のディレクトリデータベースにアクセスし、Ｅメールアドレスなどの宛先情報を取得するためのＬＡＮ１１１上に設置されたサーバの一例である。画像データ送信装置１００は、ＬＤＡＰサーバ１１３から宛先情報を取得する際は、ＬＤＡＰサーバ１１３との通信処理を行う。
【００１６】
画像データ送信装置１００は、ＣＰＵ１０１と、ＲＯＭ１０２と、ＲＡＭ１０３と、スキャナ部１０４と、プリンタ部１０５と、操作表示部１０６と、ＣＯＤＥＣ１０７と、回線Ｉ／Ｆ１０８とを有する。
【００１７】
ＣＰＵ１０１は、システム制御部であり、画像データ送信装置１００の全体を制御する。
【００１８】
ＲＯＭ１０２は、ＣＰＵ１０１により実行される制御プログラム等を格納している。また、ＲＯＭ１０２は、書き換え可能なフラッシュＲＯＭなどで構成されていてもよく、画像データ送信装置１００における設定値やデータ等を格納するためのメモリである。
【００１９】
ＲＡＭ１０３は、各種ワーク用バッファ等に利用されたり、データ等を一時格納するためのメモリである。
【００２０】
スキャナ部１０４は、ＣＳイメージセンサ、原稿搬送機構などで構成され、原稿を光学的に読み取って電気的な画像データに変換するものである。プリンタ部１０５は、受信画像やファイルデータを記録紙に記録する。
【００２１】
操作表示部１０６はキーボード、タッチパネル、ＬＣＤ、ＬＥＤ等で構成され、ユーザによる各種操作を受け付けたり、操作画面を表示したりユーザに通知を行うための手段である。
【００２２】
ＣＯＤＥＣ１０７は、ＪＢＩＧ、ＪＰＥＧ等の符号化、および、復号化を行うモジュールであり、所定の規格に準拠した画像データの圧縮、伸張処理を実行する処理部である。
【００２３】
回線Ｉ／Ｆ１０８は、モデム（変復調装置）、ＮＣＵ（網制御装置）等により構成されるものであり、公衆網１０９を介してファクスの送受信を行うためのインターフェースである。
【００２４】
ネットワークＩ／Ｆ１１０は、ネットワーク（ＬＡＮ）１１１などを介してＥメール／Ｉファクス送信、ＳＭＢ送信などを行うためのインターフェースである。
【００２５】
次に、操作表示部１０６に表示される操作画面について説明する。
【００２６】
図２は、操作表示部１０６の外観構成を示す図である。
【００２７】
操作表示部１０６には、画像データ送信装置１００で実行可能な各種ジョブのファンクションボタンであるコピーボタン２１１、ファックスボタン２１２、スキャンボタン２１３、及びメディアダイレクトプリントボタン２１４が配置されている。いずれかのファンクションボタンが押下されてＯＫキー２１５が押下されると、ＬＣＤ２２０に表示中の画面が該当するファンクションボタンに対応するジョブの基本画面に遷移する。いずれかのボタンが選択されると、選択されたボタン自体が点灯する。図２では「メディア」が選択されていることを示している。
【００２８】
ＯＫキー２１５は、後述する図４（ａ）に示すスキャン基本画面等で選択された項目の決定時に使用される。キー２１６，２１７，２１８，２１９は上下左右の矢印キーであり、後述する図４（ａ）に示すスキャン基本画面等に表示された項目の移動に使用される。
【００２９】
ＬＣＤ２２０は、操作画面等の表示を行う。白黒のスタートボタン２２１は、白黒画像のＦＡＸ送信を開始させるためのＦＡＸスタートボタンである。カラーのスタートボタン２２２は、カラー画像のＦＡＸ送信を開始させるためのＦＡＸスタートボタンである。いずれのスタートボタンも押下可能な状態のときにボタン自体が点灯する。ストップキー２２３は、実行中のジョブを停止するためのボタンである。
【００３０】
次に、画像データ送信装置１００におけるＥメールアドレス設定方法について図３及び図４を参照して説明する。
【００３１】
図３は、第１の実施形態における画像データ送信装置１００において、取得した宛先情報の設定方法を説明するためのフローチャートである。図示の処理は、ＣＰＵ１０１がＲＯＭ１０２から読み出した制御プログラムを実行することにより実現される。
【００３２】
図３において、ＣＰＵ１０１は、操作表示部１０６上のスキャンボタン２１３の押下を検知すると（ステップＳ３０１でＹＥＳ）、操作表示部１０６に図４（ａ）に示すスキャン基本画面４０１を表示する（ステップＳ３０２）。スキャン基本画面４０１には、選択可能な項目として、「ＰＣ」、「リモートスキャナー」、「ＵＳＢメモリー」、「Ｅメール」、「Ｉファックス」、「ＬＤＡＰサーバから指定」が表示される。
【００３３】
次に、ステップＳ３０３では、ＣＰＵ１０１は、スキャン基本画面４０１上に表示された複数の項目から「Ｅメール」が選択された場合は、スキャン基本画面４０１を図４（ｂ）に示すＥメール送信設定画面４０２に切り替えて、ステップＳ３０４に移行する。一方、「Ｉファックス」が選択された場合には、操作表示部１０６に表示されたスキャン基本画面４０１をＩファクス送信設定画面（不図示）に切り替えて、ステップＳ３０８へ移行する。
【００３４】
ステップＳ３０４では、ＣＰＵ１０１は、Ｅメール送信設定画面４０２上で「ＬＤＡＰサーバから指定」の項目が選択された場合（ステップＳ３０４でＹＥＳ）、ステップＳ３０５に移行する。一方、「ＬＤＡＰサーバから指定」の項目以外の場合には本処理を終了する。
【００３５】
ステップＳ３０５では、ＣＰＵ１０１は、ＬＡＮ１１１上のＬＤＡＰサーバ１１３にアクセスして該当する宛先情報を検索して取得し、その検索結果を図４（ｃ）に示す検索結果画面４０３として操作表示部１０６に表示する。図示例では、３つのＥメールアドレスが表示されている。
【００３６】
次に、検索結果画面４０３上で任意のＥメールアドレスが選択されると（ステップＳ３０６）、ＣＰＵ１０１は、選択されたＥメールアドレスを「Ｅメール」プロトコルの宛先として設定する（ステップＳ３０７）。そして、図４（ｄ）に示すアドレス設定後のＥメール送信設定画面４０４を表示して、本処理を終了する。
【００３７】
ステップＳ３０８では、ＣＰＵ１０１は、Ｉファクス送信設定画面上で「ＬＤＡＰサーバから指定」の項目が選択された場合（ステップＳ３０８でＹＥＳ）、ステップＳ３０９に移行する一方、「ＬＤＡＰサーバから指定」の項目以外の場合には本処理を終了する。
【００３８】
ステップＳ３０９では、ＣＰＵ１０１は、ＬＡＮ１１１上のＬＤＡＰサーバ１１３にアクセスして該当する宛先情報を検索して取得し、その検索結果を図４（ｃ）に示す検索結果画面４０３として操作表示部１０６に表示する。
【００３９】
次に、検索結果画面４０３上で任意のＥメールアドレスが選択されると（ステップＳ３１０）、ＣＰＵ１０１は、選択されたＥメールアドレスを「Ｉファクス」プロトコルの宛先として設定する（ステップＳ３１１）。そして、アドレス設定後のＩファクス送信設定画面（不図示）を表示して、本処理を終了する。
【００４０】
上記実施形態によれば、画像データ送信装置１００では、画像データを送信する宛先情報をＬＤＡＰサーバ１１３から取得する前に、スキャン基本画面４０１で選択された情報に基づいて、画像データを宛先に送信するときのプロトコルを決定する。より正確には、電子メールを送信する機能を使用するか、インターネット回線を利用してファクス画像を送信する機能を使用するかを決定する。これにより、ＬＤＡＰサーバ１１３から取得した宛先情報（Ｅメールアドレス）を、ユーザが選択したプロトコルの宛先として容易に設定することができ、ユーザの誤送信を防止することが可能である。
【００４１】
なお、図３のステップＳ３０３において、スキャン基本画面４０１上に表示されたプロトコル選択肢から「Ｅメール」プロトコル及び「Ｉファクス」プロトコル以外が選択された場合は、図７に示すステップＳ７０３へ移行するように構成してもよい。
【００４２】
［第２の実施形態］
本発明の第２の実施の形態では、図１に示す構成が上記第１の実施の形態と同じであり、第１の実施の形態と同様の部分については、同一の符号を用いてその説明を省略する。以下に、上記第１の実施の形態と異なる点のみを説明する。
【００４３】
第２の実施形態では、ＬＤＡＰサーバ１１３からＥメールアドレスを取得した後に、送信するプロトコルを選択する方法である。
【００４４】
第２の実施形態におけるＥメールアドレス設定方法について図５及び図６を参照して説明する。
【００４５】
図５は、第２の実施形態における画像データ送信装置１００において、取得した宛先情報の設定方法を説明するためのフローチャートである。図示の処理は、ＣＰＵ１０１がＲＯＭ１０２から読み出した制御プログラムを実行することにより実現される。
【００４６】
図５において、ＣＰＵ１０１は、操作表示部１０６上のスキャンボタン２１３の押下を検知すると（ステップＳ５０１）、操作表示部１０６に図６（ａ）に示すスキャン基本画面６０１を表示する（ステップＳ５０２）。スキャン基本画面６０１には、選択可能な項目として、「ＰＣ」、「リモートスキャナー」、「ＵＳＢメモリー」、「Ｅメール」、「Ｉファックス」、「ＬＤＡＰサーバから指定」が表示される。
【００４７】
次に、ステップＳ５０３では、ＣＰＵ１０１は、スキャン基本画面４０１上に表示された複数の項目から「ＬＤＡＰサーバから指定」が選択された場合は、ステップＳ５０４へ移行し、それ以外は本処理を終了する。
【００４８】
ステップＳ５０４では、ＣＰＵ１０１は、ＬＡＮ１１１上のＬＤＡＰサーバ１１３にアクセスして該当する宛先情報を検索して取得し、その検索結果を図６（ｂ）に示す検索結果画面６０２として操作表示部１０６に表示する。図示例では、３つのＥメールアドレスが表示されている。そして、検索結果画面６０２上で任意のＥメールアドレスが選択されると（ステップＳ５０５）、ＣＰＵ１０１は、操作表示部１０６に図６（ｃ）に示すプロトコル選択画面６０３を表示する（ステップＳ５０６）。プロトコル選択画面６０３では、「Ｅメール」または「Ｉファックス」の選択が可能である。
【００４９】
次に、ステップＳ５０７で「Ｅメール」が選択された場合はステップＳ５０８へ移行し、ＣＰＵ１０１は、ステップＳ５０５で選択されたＥメールアドレスを「Ｅメール」プロトコルの宛先として設定する。そして、図６（ｄ）に示すアドレス設定後のＥメール送信設定画面６０４を操作表示部１０６に表示して本処理を終了する。
【００５０】
一方、ステップＳ５０７で「Ｉファクス」が選択された場合はステップＳ５０９へ移行し、ＣＰＵ１０１は、ステップＳ５０５で選択されたＥメールアドレスを「Ｉファクス」プロトコルの宛先として設定する。そして、アドレス設定後のＩファクス送信設定画面（不図示）を操作表示部１０６に表示して本処理を終了する。
【００５１】
上記実施形態によれば、画像データ送信装置１００では、画像データを送信する宛先情報をＬＤＡＰサーバ１１３から取得した後に、画像データを宛先に送信するときのプロトコルを決定する。これにより、スキャン基本画面から「ＬＤＡＰサーバから指定」を選択しても明示的にプロトコルを指定することができ、ユーザに対する利便性を向上させることが可能である。
【００５２】
［第３の実施形態］
本発明の第３の実施の形態では、図１に示す構成が上記第１の実施の形態と同じであり、第１の実施の形態と同様の部分については、同一の符号を用いてその説明を省略する。以下に、上記第１の実施の形態と異なる点のみを説明する。
【００５３】
第３の実施形態では、ＬＤＡＰサーバ１１３から取得したＥメールアドレスを使用して送信するプロトコルを、あらかじめ設定しておく方法である。
【００５４】
第３の実施形態におけるＥメールアドレス設定方法について図７及び図８を参照して説明する。
【００５５】
図７は、第３の実施形態における画像データ送信装置１００において、取得した宛先情報の設定方法を説明するためのフローチャートである。図示の処理は、ＣＰＵ１０１がＲＯＭ１０２から読み出した制御プログラムを実行することにより実現される。なお、ステップＳ７０１〜ステップＳ７０５は、図５のステップＳ５０１〜ステップＳ５０５と同様のため、それらの説明を省略する。
【００５６】
図７において、ステップＳ７０６では、ＣＰＵ１０１は、操作表示部１０６に図８に示すＬＤＡＰ検索時の宛先指定画面８０１を表示する。ＬＤＡＰ検索時の宛先指定画面８０１では、「都度指定する」、「Ｅメールとして指定する」、「Ｉファックスとして指定する」の選択が可能である。ＬＤＡＰ検索時の宛先指定画面８０１で「Ｅメールとして指定する」が選択された場合、ステップＳ７０５で選択されたＥメールアドレスを「Ｅメール」プロトコルの宛先として設定する。そして、図６（ｄ）に示すアドレス設定後のＥメール送信設定画面６０４を操作表示部１０６に表示して本処理を終了する。
【００５７】
一方、ステップＳ７０６で「Ｉファクスとして指定する」が選択された場合、ステップＳ７０５で選択されたＥメールアドレスを「Ｉファクス」プロトコルの宛先として設定する。そして、アドレス設定後のＩファクス送信設定画面（不図示）を操作表示部１０６に表示して本処理を終了する。
【００５８】
さらに一方、ステップＳ７０６で「都度指定する」が選択された場合、ＣＰＵ１０１は、操作表示部１０６に図６（ｃ）に示すプロトコル選択画面を表示し（ステップＳ７０９）、ユーザにプロトコルを選択させる（ステップＳ７１０）。ステップＳ７１０で「Ｅメール」が選択された場合はステップＳ７０７へ移行する一方、「Ｉファクス」が選択された場合はステップＳ７０８へ移行する。
【００５９】
上記実施形態によれば、画像データ送信装置１００では、画像データを送信する宛先情報をＬＤＡＰサーバ１１３から取得した後に、画像データを宛先に送信するときのプロトコルを、予め指定されたプロトコルとする。これにより、一つのプロトコルをよく使うユーザの利便性を向上させることが可能となる。
【００６０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６１】
１００  画像データ送信装置
１０１  ＣＰＵ
１０２  ＲＯＭ
１０６  操作表示部
１１０  ネットワークＩ／Ｆ
１１１  ＬＡＮ
１１３  ＬＤＡＰサーバ
【図１】
2015133571.tif 000003
【図２】
2015133571.tif 000004
【図３】
2015133571.tif 000005
【図４】
2015133571.tif 000006
【図５】
2015133571.tif 000007
【図６】
2015133571.tif 000008
【図７】
2015133571.tif 000009
【図８】
2015133571.tif 000010